(57)【要約】【課題】発泡断熱材のはみ出し防止と充填密度ばらつきを防止した冷蔵庫の提供。【解決手段】扉外装板２５を接着した扉縁枠２４内に発泡断熱材２９を充填して構成した扉であって、前記扉縁枠の扉外装板設置面２４ａとこれに直交する側面部分２４ｂとの間のコーナ部には前記扉外装板設置面と側面部分との二辺に接してこれらを連結する補強リブ３４を設け、更に前記補強リブの前記扉外装板設置面と側面部分との直交部分側に開口３５を設けた構成としてある。これにより、扉縁枠の扉外装板設置面の撓みを抑制して発泡断熱材のはみ出しを防止できるとともに、補強リブ近傍部分の発泡断熱材の流れを良好なものとして発泡断熱材の充填密度ばらつきを防止できる。【選択図】図８
2016001063.tif 000002
【特許請求の範囲】
【請求項１】
断熱性の冷蔵庫本体と、前記冷蔵庫本体の貯蔵室を開閉する断熱性の扉と、を備え、前記扉は、扉外装板を設置した扉縁枠内に発泡断熱材を充填して構成し、かつ、前記扉縁枠の扉外装板設置面とこれに直交する側面部分との間のコーナ部に前記扉外装板設置面と側面部分との二辺に接してこれらを連結する補強リブを設け、更に前記補強リブの前記扉外装板設置面と側面部分との直交部分側に開口を設けたことを特徴とする冷蔵庫。
【請求項２】
扉外装板設置面と側面部分との間に傾斜面を設け、補強リブは前記傾斜面と対応する部分に開口を設けたことを特徴とする請求項１記載の冷蔵庫。
【請求項３】
側面部分の内側に枠補強金具を配置し、前記枠補強金具の扉外装板側を前記補強リブで位置決めした請求項１または２記載の冷蔵庫。
【請求項４】
発泡断熱材中に真空断熱板を備えた請求項１〜３のいずれか１項記載の冷蔵庫。
【請求項５】
扉外装板を透明板で構成するとともに、前記透明板を発泡断熱材で接着一体化した請求項１〜４のいずれか１項記載の冷蔵庫。
【発明の詳細な説明】
【技術分野】
【０００１】
本発明は冷蔵庫に関するものである。
【背景技術】
【０００２】
一般に冷蔵庫は、断熱性を有する冷蔵庫本体内に冷蔵室、冷凍室、野菜室等の貯蔵室を設け、これら各冷蔵室、冷凍室、野菜室等は扉によって開閉可能に構成してある。
【０００３】
上記扉は、冷蔵庫本体の前面となる前板と、冷蔵室、冷凍室、野菜室等の内面となる内フレームと、これら前板と内フレームとを一体に連結する扉縁枠と、の間にウレタンを充填発泡させて、冷蔵庫本体と同様断熱性を有するように構成してある。
【０００４】
このような冷蔵庫にあって、その扉の前板は冷蔵庫全体の見栄え、すなわち意匠に大きな影響を与え、その仕上がりは冷蔵庫全体の品位を大きく左右する。
【０００５】
そこでこの扉のデザイン性を向上させるべく扉の前板をガラス板で構成したものが見られる（例えば、特許文献１参照）。
【０００６】
図１１は上記特許文献１に記載されている扉を示し、この扉１００の外装板１０１は模様等の着色層１０２をシルク印刷によって形成した着色ガラス板で構成してあり、当該外装板（着色ガラス板）１０１と内フレーム１０３と扉縁枠１０４との間にウレタン１０５を充填発泡させて構成してある。
【０００７】
この扉１００は内フレーム１０３の扉縁枠１０４に外装板（着色ガラス板）１０１を両面テープ１０６によって接着しておき、この外装板（着色ガラス板）１０１を接着した扉縁枠１０４内にウレタン１０５を流し込んで発泡硬化させ、当該ウレタン１０５を外装板（着色ガラス板）１０１内面に接着させて構成してある。
【先行技術文献】
【特許文献】
【０００８】
【特許文献１】特開２０１４−５２１５７号公報
【発明の概要】
【発明が解決しようとする課題】
【０００９】
しかしながら、上記扉を構成する扉縁枠１０４のガラス板設置面１０４ａは撓みやすく、外装板（着色ガラス板）１０１と反対側向きに撓んでいたりすると、当該ガラス板設置面１０４ａと外装板（着色ガラス板）１０１との接着部分に隙間が生じ、このガラス板設置面１０４ａと外装板（着色ガラス板）１０１との間の隙間に発泡ウレタンがはみ出すことがあった。
【００１０】
そこで出願人は上記扉縁枠１０４のガラス板設置面１０４ａとそれに直交する側面部分１０４ｂとのコーナ部分に前記ガラス板設置面１０４ａと側面部分１０４ｂとの二辺に接してこれらを連結する三角形状の補強リブ１０７を設け、前記ガラス板設置面１０４ａを補強して撓みを防止するようにした。
【００１１】
これにより、ガラス板設置面１０４ａのたわみによる発泡ウレタンのはみ出し不良は防止できたが、前記補強リブ１０７によって当該補強リブ１０７近傍部分の発泡ウレタン流れが悪くなる場合があり、補強リブ１０７近傍のウレタン充填密度にばらつきが生じる等
の課題があった。
【００１２】
また、デザイン上の観点からガラス板設置面１０４ａと側面部分１０４ｂとの間に傾斜面（図示せず）を設けるようなデザインとした場合、補強リブ１０７が存在するとこの補強リブ１０７が位置する傾斜面の表面部分に凹状ヒケが生じ、デザイン性を悪化させるという課題もあった。
【００１３】
本発明はこのような点に鑑みてなしたもので、発泡断熱材のはみ出しや充填密度ばらつきの発生を防止すると同時にデザイン性も向上させることが可能な冷蔵庫の提供を目的としたものである。
【課題を解決するための手段】
【００１４】
本発明は上記目的を達成するため、その扉は、ガラス板等の扉外装板を設置した扉縁枠内に発泡断熱材を充填して構成し、かつ、前記扉縁枠の扉外装板設置面とこれに直交する側面部分との間のコーナ部に前記扉外装板設置面と側面部分との二辺に接してこれらを連結する補強リブを設け、更に前記補強リブの前記扉外装板設置面と側面部分との直交部分側に開口を設けた構成としてある。
【００１５】
これにより、扉縁枠の扉外装板設置面の撓みを防止できるとともに、扉縁枠に充填するウレタン等の発泡断熱材の流れも補強金具に設けた開口を介して円滑なものとすることができる。したがって、扉外装板設置面の撓みによる発泡断熱材のはみ出し不良等を解消すると同時に、補強リブ近傍の発泡断熱材充填密度のばらつきも解消することができる。
【発明の効果】
【００１６】
本発明は、上記構成により、扉外装板設置面の撓みによる発泡断熱材のはみ出しを解消すると同時に、補強リブ近傍の発泡断熱材の充填密度ばらつきも解消することができ、歩留まりが良く高品質な冷蔵庫を提供することができる。
【図面の簡単な説明】
【００１７】
【図１】本発明の実施の形態１における冷蔵庫の正面図
【図２】同冷蔵庫の概略断面図
【図３】同冷蔵庫の扉の一つを示す斜視図
【図４】同扉を内面側から見た斜視図
【図５】同扉の分解斜視図
【図６】同図３のＡ−Ａ断面図
【図７】同冷蔵庫の観音開き扉の図３Ｂ−Ｂ線相当断面図
【図８】同図７の要部拡大断面図
【図９】同冷蔵庫の扉縁枠金具を示す拡大側面図
【図１０】同扉縁枠金具の内面側から見た斜視図
【図１１】従来の冷蔵庫における扉の断面図
【発明を実施するための形態】
【００１８】
第１の発明は、断熱性の冷蔵庫本体と、前記冷蔵庫本体の貯蔵室を開閉する断熱性の扉と、を備え、前記扉は、扉外装板を設置した扉縁枠内に発泡断熱材を充填して構成し、かつ、前記扉縁枠の扉外装板設置面とこれに直交する側面部分との間のコーナ部に前記扉外装板設置面と側面部分との二辺に接してこれらを連結する補強リブを設け、更に前記補強リブの前記扉外装板設置面と側面部分との直交部分側に開口を設けた構成としてある。
【００１９】
これにより、扉縁枠の扉外装板設置面の撓みを防止できるとともに、扉縁枠に充填するウレタン等の発泡断熱材の流れも補強金具に設けた開口を介して円滑なものとすることが
できる。したがって、扉外装板設置面の撓みによる発泡断熱材のはみ出し不良等を解消すると同時に、補強リブ近傍の発泡断熱材充填密度のばらつきも解消することができ、歩留まりが良く高品質な冷蔵庫を提供することができる。
【００２０】
第２の発明は、第１の発明において、上記扉は扉外装板設置面と側面部分との間に傾斜面を設け、補強リブは前記傾斜面と対応する部分に開口を設けた構成としてある。
【００２１】
これにより、傾斜面を設けて扉のデザイン性を上げることができるとともに、その傾斜面も補強リブによる凹状ヒケが発生することのない外観の良好なものとすることができ、高品質なうえにデザイン性も高い冷蔵庫とすることができる。
【００２２】
第３の発明は、第１または第２の発明において、上記側面部分の内側に枠補強金具を配置し、前記枠補強金具の扉外装板側を前記補強リブで位置決めした構成としてある。
【００２３】
これにより、扉縁枠に充填した発泡断熱材の充填成形後の熱収縮により生じがちな反り変形を枠補強金具で抑制するとともに、枠補強金具と扉外装板設置面との間の隙間寸法を設計通りに維持して発泡断熱材の流れを確保することができ、前記隙間部分に発泡断熱材の充填不良が生じるのを防止しつつ扉の反り変形を防止することができる。
【００２４】
第４の発明は、第１〜第３の発明において、上記扉は発泡断熱材中に真空断熱板を備えた構成としてある。
【００２５】
これにより、扉縁枠に充填した発泡断熱材の充填成形後の熱収縮による反り変形を真空断熱材が持つ剛性によって抑制することができ、扉の断熱効果を高めつつ扉の反り変形を防止することができる。
【００２６】
第５の発明は、第１〜第４の発明において、扉は扉外装板を透明板で構成するとともに、前記扉外装板を発泡断熱材で接着一体化した構成としてある。
【００２７】
これにより、透明板を用いて扉外観を質感の高い良好なものとすることができるとともに、発泡断熱材による透明板の接着一体化によって透明板の周縁部をそのまま露出状態とし透明板挿入保持部のないデザイン性の更に高いものとして、なおかつ発泡断熱材のはみ出しや発泡断熱材の充填密度ばらつき等のない高品質な冷蔵庫とすることができる。
【００２８】
以下、本発明の実施の形態について、図面を参照しながら説明する。なお、この実施の形態では扉外装板としてガラス板等の透明板を用いたものを例にして説明するが、これによって本発明が限定されるものではない。
【００２９】
（実施の形態１）
図１は本発明の実施の形態１における冷蔵庫の正面図、図２は同冷蔵庫の概略断面図、図３は同冷蔵庫の扉の一つを示す斜視図、図４は同扉を内面側から見た斜視図、図５は同扉の分解斜視図、図６は同図３のＡ−Ａ断面図、図７は同冷蔵庫の観音開き扉の図３Ｂ−Ｂ線相当断面図、図８は同図７の要部拡大断面図、図９は同冷蔵庫の扉縁枠金具を示す拡大側面図、図１０は同扉縁枠金具の内面側から見た斜視図である。
【００３０】
図１、図２において、冷蔵庫本体１は、前方に開口する金属製（例えば鉄板）の外箱２と、硬質樹脂製（例えばＡＢＳ）の内箱３と、これら外箱２と内箱３との間に発泡充填した硬質ウレタン等の発泡断熱材４からなる。上記冷蔵庫本体１はその内部に、冷蔵室５と、冷蔵室５の下に位置する冷凍室８と、冷凍室８の下部に位置する野菜室９とを有する。また、前記冷蔵室５の前面は、例えば観音開き式の扉１０，１０により開閉自在とし、冷
凍室８と野菜室９の前面部は引き出し式の扉１１，１２によって開閉自在としてある。
【００３１】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００３２】
ここで、上記各扉１０〜１２は冷蔵庫本体１と同様硬質ウレタン等の発泡断熱材を充填発泡させて断熱性を持たせ長方形に形成してあり、更にデザイン性を向上させるべくその前面外装板をガラス板等の透明前板で構成してある。
【００３３】
以下、観音開き式の扉１０の場合を例にしてその構成について図３〜図１０を用いて説明する。なお、扉１０以外の扉１１，１２も同様の構成である。
【００３４】
図３〜図１０において、２３は冷蔵庫本体１の内側に位置することになる内フレームで、例えばＡＢＳ樹脂で形成してある。２４はこの内フレーム２３の周端面に結合固定した扉縁枠で、同じくＡＢＳ樹脂で形成してある。２５は前記内フレーム２３を覆うようにその扉縁枠２４に積層配置した扉外装板で、この実施の形態では前記したようにデザイン性を向上させるべく光沢のある強化ガラス板（以下、扉外装ガラス板と称す）で形成してある。
【００３５】
また、前記扉外装ガラス板２５は、図６に示すように、その内面に接着剤２６を介して樹脂フィルム２７が貼り付けてあり、この樹脂フィルム２７にヘアーラインのような金属調模様からなる着色層２８が形成してある。これによって、前記扉外装ガラス板２５は、あたかも着色層付きのガラス板となる。前記樹脂フィルム２７はこの実施の形態では透明性が高く機械的強度の高いポリエチレンテレフタレートを用いている。
【００３６】
２９は前記扉外装ガラス板２５の樹脂フィルム２７側の面と内フレーム２３と扉縁枠２４との間の空間に充填発泡させた硬質ウレタン等の発泡断熱材で、発泡によって内フレーム２３及び扉縁枠２４とともに前記扉外装ガラス板２５内面の樹脂フィルム２７に接着し、当該樹脂フィルム２７を介して扉外装ガラス板２５を接着保持している。
【００３７】
また、３０は前記内フレーム２３と扉外装ガラス板２５との間のほぼ全域わたって配置した真空断熱板である。
【００３８】
さらに図７に示す３１は扉外周内面部に装着したガスケット、３２は観音開き式扉の扉１０同士間を覆う回転式仕切板で、いずれか一方の扉端面に回転自在に設けてあり、扉閉成時には前記ガスケット３１に圧接して冷蔵室５内の気密を保っている。
【００３９】
ここで、上記扉１０は、図８、図９に示すように、その扉縁枠２４の扉外装板設置面２４ａ（前記扉外装ガラス板２５を積層配置して両面テープ３３で接着する部分）とこれに直交する側面部分２４ｂとの間にデザイン性を向上させるべく傾斜面２４ｃが設けてある。そして、上記扉縁枠２４は、前記扉外装ガラス板２５を接着する扉外装板設置面２４ａとこれに傾斜面２４ｃを介して直交する側面部分２４ｂとで構成されたコーナ部に複数の補強リブ３４が一体形成してあり、かつ、更に前記補強リブ３４の前記扉外装板設置面２４ａと側面部分２４ｂとの直交部分側には開口３５が設けてある。
【００４０】
この実施の形態では、上記扉縁枠２４の扉外装板設置面２４ａと側面部分２４ｂとの直交部分に傾斜面２４ｃを形成しているので、補強リブ３４は扉縁枠２４の扉外装板設置面
２４ａと側面部分２４ｂとの二辺に接してこれらを連結する形で一体形成してあり、かつ前記開口３５は傾斜面２４ｃと対応する部分を開口した形態としてある。
【００４１】
また、上記補強リブ３４を設けた扉１０の側面部分２４ｂ内面には断面略コ字状の枠補強金具３６が装着してある。この枠補強金具３６は図９示すように扉縁枠２４の側面部分２４ｂ上下に設けた位置決め片２４ｄによって上下方向の位置決めをするとともに、扉外装ガラス板２５側（前面側）は前記補強リブ３４の位置決め端面３４ａによって位置決めしてある。
【００４２】
なお、本実施の形態においては、前記扉外装ガラス板２５は発泡断熱材２９によって接着一体化しているので、その外周端面はこの種ガラス板を用いた場合に用いられるガラス板挿入枠等で覆うことなくそのまま露出させた形態としてある。
【００４３】
また、前記扉外装ガラス板２５はその外周部をあらかじめ扉外側に反らせた状態で発泡断熱材２９を充填発泡させて接着一体化してある。
【００４４】
更に、発泡断熱材２９はその外周部の発泡密度を中央部分の発泡密度より高くして、外周部の収縮度合いが中央部分の収縮度合いより少なくなる構成としてある。この発泡密度差は、例えば、内フレーム２３の発泡ウレタン外周部分に相当する位置に空気抜き孔を設けて、この空気抜き孔部分でウレタンがコア発泡するようにすれば達成できる。
【００４５】
以上のように構成した冷蔵庫の扉１０について以下その作用効果を説明する。
【００４６】
上記冷蔵庫の扉１０は、扉縁枠２４の扉外装板設置面２４ａに扉外装ガラス板２５を積層して両面テープ３３で接着固定し、この状態で前記扉縁枠２４、扉外装ガラス板２５、そして内フレーム２３で囲んだ空間に硬質ウレタン等の発泡断熱材２９を流し込んでこれを発泡硬化することによって形成してある。
【００４７】
この時、前記扉縁枠２４の扉外装板設置面２４ａとこれに傾斜面２４ｃを介して直交する側面部分２４ｂとの間にはこれら二辺を連結する補強リブ３４が一体形成してあるから、前記扉外装板設置面２４ａはこの補強リブ３４によって補強され、撓み変形が防止される。これにより、前記扉縁枠２４の扉外装板設置面２４ａと扉外装ガラス板２５との間は隙間なく密着させることができ、前記扉縁枠２４内で発泡する発泡断熱材２９が前記扉縁枠２４の扉外装板設置面２４ａと扉外装ガラス板２５との間の隙間に入り込んで端面からはみ出すことを防止できる。
【００４８】
また、上記補強リブ３４の近傍部分では発泡断熱材２９の流れが悪くなりがちであるが、上記補強リブ３４のコーナ部側、すなわち前記扉縁枠２４の扉外装板設置面２４ａと側面部分２４ｂとの直交部分側には開口３５が設けてあるから、発泡断熱材２９はこの開口３５を介して補強リブ３４の両側にスムーズに流れ、補強リブ３４近傍部分でほぼ均一に発泡する。したがって、この補強リブ３４近傍部分での発泡充填密度のばらつきを防止し、良好な断熱性を確保することができる。
【００４９】
また、この実施の形態では前記扉縁枠２４の扉外装板設置面２４ａと側面部分２４ｂとの間に傾斜面２４ｃを設けているので、扉１０のデザイン性を向上させることができる。そして、前記補強リブ３４は前記傾斜面２４ｃと対向する部分に開口３５を設けてあるので、前記傾斜面２４ｃの表面に凹状ヒケが発生することがなく、扉１０のデザイン性を上げつつ、その傾斜面２４ｃも凹状ヒケのない外観良好なものとすることができる。
【００５０】
また、上記扉１０はその側面部分２４ｂの内側に枠補強金具３６を配置し、前記枠補強
金具３６の扉外装ガラス板２５側を前記補強リブ３４で位置決めする構成としてあるから、扉１０の反り変形を防止しつつ発泡断熱材２９の充填ばらつきを防止することができる。すなわち、発泡断熱材２９を発泡充填した扉１０は、発泡断熱材２９の充填成形後の熱収縮や冷蔵庫使用による経年的な熱収縮により反り変形をしやすいが、この実施の形態ではこの反り変形を前記枠補強金具３６が抑制するようになり、反り変形の少ないものとすることができる。
【００５１】
また、上記枠補強金具３６を設けたことによって図７に示すように枠補強金具３６のコ字状片部，３６ｂと扉外装ガラス板２５との間の隙間が狭くなってその隙間部分への発泡断熱材２９の流れが悪くなる恐れがあるが、上記枠補強金具３６の扉外装ガラス板２５側の位置は前記補強リブ３４で位置決めしているので設計通りの隙間を確保することができ、発泡断熱材２９の充填ばらつきが生じるのを防止できる。よって、扉１０の反り変形を防止しつつ発泡断熱材２９の充填ばらつきを防止することができるのである。
【００５２】
更にこの実施の形態の枠補強金具３６は、図７に示すように、ガスケット３１側のコ字状片部３６ａの長さを短くしてガスケット３１とコ字状片部３６ａ及び真空断熱板３０の端部との間隔を大きく確保し、冷蔵室等の冷気によって低温化しているガスケット３１の低温がコ字状片部３６ａを介し枠補強金具３６に伝導して側面部分２４ｂの表面に結露が生じるのを抑制することができると同時に、扉外装ガラス板２５側のコ字状片部３６ｂの長さは長くして、前記ガスケット３１側のコ字状片部３６ａが短いことによって低下する枠補強金具３６の剛性を補い、枠補強金具３６による扉１０の反り変形防止効果を高めている。特に冷蔵庫の大型化に伴い扉も大型化しているものにあっては、発泡断熱材２９の熱収縮による変形はガラス板等で構成される扉外装ガラス板２５と樹脂で構成される扉縁枠２４及び発泡断熱材２９の材料との熱収縮率差から扉外装ガラス板２５に近いほど変形量が多く曲げモーメントがかかりやすいので、扉外装ガラス板２５に近い方のコ字状片部３６ｂのながさを長くして強度アップを図ったことでより効率よく扉１０の変形を防止でき、効果的である。
【００５３】
また、上記扉１０は発泡断熱材２９中に真空断熱板３０を備えた構成としてあるから、扉１０の断熱効果を高めつつ真空断熱板３０が持つ剛性によって扉の反り変形をより一層効果的に防止出きる。
【００５４】
なお、この実施の形態では前記扉１０はその前面を構成する扉外装ガラス板２５が前記発泡断熱材２９の熱収縮に抗して平面を維持するようにあらかじめ逆方向にそらせた状態で発泡断熱材を充填発泡硬化させている。したがって、この点からも発泡断熱材２９の熱収縮による扉外装ガラス板２５の反り変形等を防止して平面を保つことができ、より確実に扉反り変形を防止し、かつ、質感の高い冷蔵庫用扉とすることができる。
【００５５】
また、発泡断熱材２９はその発泡密度を中央部分より外周部分のほうが高く（密）なるようにしてある。したがって、発泡断熱材２９の外周部は気泡密度が高い分発泡断熱材を構成するウレタンそのものの量が多くなっている。よって、発泡断熱材２９の外周部分の熱収縮変形は中央部分の熱収縮変形に比べ少ないものとなるから、発泡断熱材全体で見た場合の熱収縮変形は発泡断熱材全面に亘ってほぼ同じ程度となって外周部が反ったような形になりにくい。したがって、扉成形時に扉外装ガラス板２５の逆反り量を大きくしなくてもその反りが戻ったときには扉外装ガラス板２５は略平面状態とすることができ、その後の発泡断熱材の熱収縮度合いも少なくなるから、この点からも扉外装ガラス板２５の外周部が熱収縮によって反ったような形で変形するのが抑制されることになり、より平坦なものとすることができる。
【００５６】
また、上記のように反り変形を防止した扉外装ガラス板２５は発泡断熱材２９の接着力
によって接着保持してガラス板を用いた場合に必要とされるガラス板挿入部等を廃止しその周縁部をそのまま露出状態としているので、ガラス板挿入部の存在によってデザイン性を損なうことなく、全面フラット感のあるすっきりとした外観にすることができ、扉反り変形や結露発生を抑えつつデザイン性の高い冷蔵庫とすることができる。
【００５７】
さらに、この冷蔵庫の扉１０は、ヘアーラインのような金属調模様からなる着色層２８が扉外装ガラス板２５及び樹脂フィルム２７からなる透明層の内側に位置するため、着色の色に深みが加わり、そのデザイン性は金属製あるいは樹脂製の塗装前板に比べると大きく向上する。特にこの実施の形態では前記着色層２８は樹脂フィルム２７に形成しているので、ローラ等によって形成することができ、扉外装ガラス板に直接着色層をシルク印刷するものでは不良率が高くて実質的には得られなかったようなヘアーライン等の精細な模様も形成できて、そのデザイン性を格段に向上させることができる。
【００５８】
以上、本発明の実施形態を説明したが、上記実施の形態は本発明を実施するうえでの一例として示したものであり、本発明の目的を達成する範囲内で種々変更可能であることは言うまでもない。
【００５９】
例えば、本実施の形態では扉１０を構成する扉外装板はガラス板ではなく金属板、或いは透明樹脂板であってもよく、透明樹脂前板にすれば高い質感を持たせつつ軽量化による接着強度の更なる保障が可能となり、しかも低コスト化も図ることができる。
【産業上の利用可能性】
【００６０】
以上のように本発明は、扉外装板設置面の撓みによる発泡断熱材のはみ出しを解消すると同時に補強リブ近傍の発泡断熱材充填密度のばらつきも解消することができ、歩留まりが良く高品質な冷蔵庫とすることができる。よって、一般用はもちろん業務用の冷蔵庫やワインクーラー等に幅広く適用できる。
【符号の説明】
【００６１】
１  冷蔵庫本体
２  外箱
３  内箱
４  発泡断熱材
５  冷蔵室
８  冷凍室
９  野菜室
１０，１１，１２  扉
１６  冷却室
１７  冷却器
１８  送風ファン
１９  圧縮機
２０  放熱パイプ
２１  キャピラリーチューブ
２３  内フレーム
２４  扉縁枠
２４ａ  扉外装板設置面
２４ｂ  側面部分
２４ｃ  傾斜面
２４ｄ  位置決め片
２５  扉外装板（扉外装ガラス板）
２６  接着剤
２７  樹脂フィルム
２８  着色層
２９  発泡断熱材
３０  真空断熱板
３１  ガスケット
３２  回転式仕切板
３３  両面テープ
３４  補強リブ
３４ａ  位置決め端面
３５  開口
３６  枠補強金具
３６ａ，３６ｂ  コ字状片部
【図１】
2016001063.tif 000003
【図２】
2016001063.tif 000004
【図３】
2016001063.tif 000005
【図４】
2016001063.tif 000006
【図５】
2016001063.tif 000007
【図６】
2016001063.tif 000008
【図７】
2016001063.tif 000009
【図８】
2016001063.tif 000010
【図９】
2016001063.tif 000011
【図１０】
2016001063.tif 000012
【図１１】
2016001063.tif 000013